(57)【要約】【課題】トータルキッチンにフィットしたトッププレート上での３口加熱調理を実現し、清掃性と信頼性の高い誘導加熱調理器を提供すること。【解決手段】外郭を構成する器体１と、器体１の上面に設けた被加熱調理器具を載置するトッププレート４とこのトッププレート４を保持するフレーム３とを有する天面部２と、トッププレート４の下方に設けた誘導加熱装置と、冷却するための外気を吸気する吸気口７と、ロースタ加熱装置１０からの排煙口１４および冷却風を排出する排気口１６とを備え、この排気口１６および吸気口７を天面部および前面部以外の面に設ける構成とした。【選択図】  図１
2004349041.tif 000002
【特許請求の範囲】
【請求項１】
少なくともロースタ加熱装置と誘導加熱装置を有し、キッチンテーブルの上に載置して用いる誘導加熱調理器であって、器体上面に設けた被加熱調理器具を載置するトッププレートと前記トッププレートを保持するフレームとを有する天面部と、前記トッププレートの下方に設けた誘導加熱装置と、冷却するための外気を吸気する吸気口と、前記ロースタ加熱装置からの排煙口および前記誘導加熱装置を冷却する冷却風を排出する排気口とを備え、前記排気口および前記吸気口を前記天面部以外の面に設ける構成とした誘導加熱調理器。
【請求項２】
ロースタ使用時の煙を器体外に排出する排気ダクトを、天面部と分離した前記器体後方の背面に、背面に平行方向の寸法を背面に直角方向の寸法より大きくして開口するようにして設けた請求項１記載の誘導加熱調理器。
【請求項３】
排気ダクトを分割し、パッキンを介して分離自在に一体化する構成とした請求項２記載の誘導加熱調理器。
【請求項４】
器体の底面を支える脚を有すると共に、外気を器体内部に取り込むための吸気口を、前記器体の天面以外の少なくとも１つの面に配設する構成とした請求項１記載の誘導加熱調理器。
【請求項５】
器体の底面を支える脚を有すると共に、使用時に発生する内部の熱気を排出するための排気口を、前記器体の天面以外の少なくとも１つの面に設ける構成とした請求項１記載の誘導加熱調理器。
【請求項６】
器体の背面と奥壁との隙間、および、前記器体の底面とキッチンテーブルの床面との隙間を、前記器体に対して同時に鉛直に分割するように仕切板を構成し、分割した一方を吸気領域、他方を排気領域とする構成とした請求項４または５に記載の誘導加熱調理器。
【請求項７】
フレームを構成する前方の辺以外の３辺に沿って、排気ダクトの位置に対応する位置にダクト挿入部を有する化粧板を器体に着脱自在に設ける構成とした請求項１記載の誘導加熱調理器。
【請求項８】
化粧板は調味料、香辛料などを収納する収納容器を少なくとも１か所有する構成とした請求項７記載の誘導加熱調理器。
【請求項９】
化粧板を器体に隣接する他のキッチンテーブルの天面部と器体の天面部が同一高さになるように連結する構成とした請求項７記載の誘導加熱調理器。
【請求項１０】
化粧板は複数の開口孔または切り欠き部を有する構成とした請求項７記載の誘導加熱調理器。
【請求項１１】
化粧板は、器体を載置する中央キッチンテーブルの床面、器体の右側面、右側壁又は右キッチンテーブルで囲まれた右前面開口部と、同じく中央キッチンテーブルの床面、器体の左側面、左側壁又は左キッチンテーブルで囲まれた左前面開口部との少なくとも一方を閉鎖する構成とした請求項７記載の誘導加熱調理器。
【請求項１２】
器体後方に位置する化粧板の一部は、天面部に平行に凸状の筒状部を有し、前記筒状部に任意に開口孔を設ける構成とした請求項７記載の誘導加熱調理器。
【請求項１３】
排気ダクトの開口部は、化粧板の面と略同一又は化粧板の面よりも上方に突出してなる請求項７記載の誘導加熱調理器。
【請求項１４】
トッププレートの下方に誘導加熱装置又は抵抗加熱装置を含む３つ以上の加熱装置を構成し、前記トッププレート上で調理してなる請求項１〜１３のいずれか１項に記載の誘導加熱調理器。
【発明の詳細な説明】
【０００１】
【発明の属する技術分野】
本発明はロースタを備え、トータルキッチンテーブルに載置して一般家庭で使用する誘導加熱調理器に関し、特に、天面部の構成に関する。
【０００２】
【従来の技術】
従来、この種の誘導加熱調理器としては、ロースタの発熱体により加熱された被調理物から発生する煙を、天面部の後方に配設した排気筒開口部から外に排出すると共に、同じく天面部の後方に配設した吸気口及び排気口により、器体内部を冷却するようなものがあった（例えば、特許文献１参照）。
【０００３】
図１８は従来の誘導加熱調理器の展開斜視図である。図において、２０１は誘導加熱調理器の外郭を構成する器体、２０２は器体２０１内の略中央に構成されたロースタ加熱装置、２０３はロースタ加熱装置２０２の内部と後方で連結した排気筒、２０４は排気筒２０３の先端に構成された排気筒開口部である。また、２０５は天面部を構成するフレーム２０６の後方に開口された排気口であり、排気筒開口部２０４と排気口２０５は連結されている。
【０００４】
また、２０９は器体２０１内部の略中央に配設したロースタ加熱装置２０２の右側に配設した右冷却装置、２１０はロースタ加熱装置２０２を隔てて左側に配設した左冷却装置であり、２１１は右冷却装置２０９により外気を取り込むための右吸気筒、同様に２１２は左冷却装置２１０により外気を取り込むための左吸気筒である。そして、フレーム２０６の後方右側に開口された右吸気口２０７と右吸気筒２１１が連結され、同様にフレーム２０６の後方左側に開口された左吸気口２０８と左吸気筒２１２が連結されている。
【０００５】
また、２１３はフレーム２０６の内側で接着固定されたプレートであり、２１４はプレート２１３の下方右側に配設された右誘導加熱装置、２１５はプレート２１３の下方左側に配設された左誘導加熱装置であり、２１６は器体２０１を支持する脚、２１７は器体２０１を載置するトータルキッチンテーブルである。排気口２０５は排気筒開口部２０４よりも大きな開口面積を有し、排気口２０５の開口面積から２０４の開口面積を差し引いた残りの開口空間から器体２０１内部の排気がなされる構成としている。また２１８はフレーム２０６の後方上面に配設された排気口２０５と右吸気口２０７、および左吸気口２０８のすべての開口孔を覆うように格子状の孔を有したバックグリルである。
【０００６】
前記従来構成において、ロースタ加熱装置２０２で加熱された被調理物の煙はロースタ加熱装置２０２の後方に直結した排気筒２０３を通過して、排気筒開口部２０４からフレーム２０６の後方に配設された排気口２０５を通って外に排出される。また右誘導加熱装置２１４や左誘導加熱装置２１５やロースタ加熱装置２０２が通電されると、器体２０１内部の温度上昇を抑制するために、フレーム２０６の後方に配設された右吸気口２０７や左吸気口２０８から外気が器体２０１内部に取り込まれ、各部品を冷却した後フレーム２０６の後方上面に配設された排気口２０５から外に排出され、安全で信頼性に優れた誘導加熱調理器を提供できるというものであった。
【０００７】
【特許文献１】
特開２００２−１９０３７５号公報（第１８図）
【０００８】
【発明が解決しようとする課題】
しかしながら、前記従来のものでは、フレーム２０６の後方上面に排気口２０５と右吸気口２０７及び左吸気口２０８を配設しているため、プレート２１３の大きさに制限があり、平滑なプレート２１３の調理面の大きさを拡大することができないため、使い勝手やデザイン性の向上を図ることができず、またプレート２１３の下方には右誘導加熱装置２１４と左誘導加熱装置２１５の２つの加熱装置を配設するスペースしか確保できなかった。そのため、抵抗加熱装置を加えた３口のバーナーで同時に加熱したいといった多様化する調理パターンに応えた誘導加熱調理器を提供することができないという問題があった。
【０００９】
また、排気口２０５や右吸気口２０７や左吸気口２０８の開口孔から内部に調理物などが落下しないようバックグリル２１８をフレーム２０６の後方に載置するため、調理後にバックグリル２１８の油汚れなどを清掃しなければならないと共に、排気口２０５や右吸気口２０７や左吸気口２０８から器体２０１内部に進入した油汚れなどを清掃しなければならないという問題があった。さらに、調理中吹きこぼれた水が右吸気口２０７や左吸気口２０８から器体２０１内部に進入し、故障の原因になるという問題があった。また使用しない鍋や布巾などを排気口２０５や右吸気口２０７や左吸気口２０８の上に無意識に置かれ、吸気や排気が円滑に行われず、器体内部の冷却を妨げる原因にもなった。
【００１０】
本発明は、前記従来の課題を解決するもので、トッププレートの平滑面の拡大を図ると共に、清掃性、安全性および利便性を向上し、さらに、トータルキッチンにフィットする洗練されたデザインとすることのできる誘導加熱調理器を提供することを目的とする。
【００１１】
【課題を解決するための手段】
前記従来の課題を解決するために、本発明誘導加熱調理器は、器体上面に設けた被加熱調理器具を載置するトッププレートと前記トッププレートを保持するフレームとを有する天面部と、前記トッププレートの下方に設けた誘導加熱装置と、冷却するための外気を吸気する吸気口と、前記ロースタ加熱装置からの排煙口および前記誘導加熱装置を冷却する冷却風を排出する排気口とを備え、前記排気口および前記吸気口を前記天面部以外の面に設ける構成とした。
【００１２】
この構成により、広くて平滑な調理面を確保でき、プレート上での３口加熱調理が可能になると共に、トータルキッチンにフィットした凸凹感のない洗練されたデザイン性の向上が図れ、しかも油汚れの清掃が困難な開口孔やバックグリルもなくなり、手間がかからず清掃性に優れた誘導加熱調理器を提供するものである。
【００１３】
【発明の実施形態】
請求項１記載の発明は、少なくともロースタ加熱装置と誘導加熱部を有し、キッチンテーブルの上に載置して用いる誘導加熱調理器であって、器体上面に設けた被加熱調理器具を載置するトッププレートと前記トッププレートを保持するフレームとを有する天面部と、前記トッププレートの下方に設けた誘導加熱装置と、冷却するための外気を吸気する吸気口と、前記ロースタ加熱装置からの排煙口および前記誘導加熱装置を冷却する冷却風を排出する排気口とを備え、前記排気口および前記吸気口を前記天面部以外の面に設ける構成とした。
【００１４】
この構成により、限られたモジュール寸法の中で天面部は、トッププレートの平滑面をより広く確保できるので使用性を向上させると共に、天面部に開口がないため開口孔に調理物が落下する恐れが無く、また落下防止のための部品点数を削減でき、落下防止用の部品や開口孔に溜まった油汚れなどの清掃の手間が格段に削減でき、調理時の吹きこぼれによる水の進入もない構成にできる。また凸凹感のないトータルキッチンにフィットする洗練されたデザインとすることができる。さらに使用しない鍋や布巾などが調理面以外の天面部に置かれても、器体の冷却性能には全く影響せず、安全に動作させることができる。
【００１５】
請求項２記載の発明は、特に、請求項１に記載の構成において、ロースタ使用時の煙を器体外に排出する排気ダクトを、天面部と分離した前記器体後方の背面に、背面に平行方向の寸法を背面に直角方向の寸法より大きくして開口するようにして設けることにより、充分に排煙できると共に、調理時の煙を使用者から遠ざけることができる。
【００１６】
請求項３記載の発明は、特に、請求項２に記載の排気ダクトを分割し、パッキンを介して分離自在に一体化する構成としたことにより、ロースタ調理時の排気ダクト周辺の油煙による汚れを、簡単に取り外して清掃することができる。
【００１７】
請求項４記載の発明は、特に請求項１に記載の構成において、器体の底面を支える脚を有すると共に、外気を器体内部に取り込むための吸気口を、前記器体の天面以外の少なくとも１つの面に配設する構成としたことで、外気を十分に器体内部に取り込むことができ冷却性能を確保できる。
【００１８】
請求項５記載の発明は、特に、請求項１に記載の構成において、器体の底面を支える脚を有すると共に、使用時に発生する内部の熱気を排出するための排気口を、前記器体の天面以外の少なくとも１つの面に設ける構成としたことで、使用中に使用者に熱気が当たり、不快感を与えることが無く、器体内部の熱気を外に円滑に排出して、冷却性能を確保できる。
【００１９】
請求項６記載の発明は、特に、請求項４または５に記載の構成において、器体の背面と奥壁との隙間及び、前記器体の底面とキッチンテーブルの床面との隙間を、前記器体に対して同時に鉛直に分割するように仕切板を構成し、分割した一方を吸気領域、他方を排気領域として構成することで、器体内部を冷却するための外気の中に、器体内部を冷却した後の熱気が混入して再び器体内部に取り込まれることが無く、常に常温に近い雰囲気を器体内部に取り込み、冷却性能を確保することができる。
【００２０】
請求項７記載の発明は、特に、請求項１に記載の構成において、フレームを構成する前方の辺以外の３辺に沿って、排気ダクトの位置に対応する位置にダクト挿入部を有する化粧板を器体に着脱自在に設ける構成にしたことにより、器体をキッチンテーブルに設置したとき、器体と壁面又は他のキッチンテーブルとの距離を確実に確保することができ、吸気口又は排気口の開口孔を壁面で塞いでしまうような事がなく、外から器体内への吸気又は器体内から外への排気を円滑に動作させることができる。
【００２１】
請求項８記載の発明は、特に請求項７に記載の化粧板に、調味料、香辛料などを収納する収納容器を少なくとも１か所有する構成としたことで、調理中の必需品となる調味料や香辛料といった小物容器などを調理面のすぐ近傍に収納でき、利便性を良くする事ができる。
【００２２】
請求項９記載の発明は、特に請求項７に記載の化粧板を、器体に隣接する他のキッチンテーブルの天面部と器体の天面部が同一高さになるように連結する構成としたことで、トータルキッチンテーブル全体が、凸凹のない略平滑面にでき、台所のデザイン調和性を向上させることができる。また、テーブル間の隙間に調理物が落下したり汚れが溜まるのを防ぐことができる。
【００２３】
請求項１０記載の発明は、特に請求項７に記載の化粧板は、複数の開口孔または切り欠き部を有する構成としたことで、外気を取り込むための流路を確保できるとともに、閉塞した器体周辺の熱気が床面や壁面や器体に影響を与えることなく円滑に排気できる。
【００２４】
請求項１１記載の発明は、特に請求項７に記載の化粧板は、器体を載置する中央キッチンテーブルの床面、器体の右側面、右側壁又は右キッチンテーブルで囲まれた右前面開口部と、同じく中央キッチンテーブルの床面、器体の左側面、左側壁又は左キッチンテーブルで囲まれた左前面開口部との少なくとも一方を閉鎖するように構成することで、使用中に排気口から排出される熱気が、器体の前方に向けて排出されることがなく使用者に不快感を与えることがないようにすることができる。
【００２５】
請求項１２記載の発明は、特に、請求項７に記載の構成において、器体後方に位置する化粧板の一部は、天面部に平行に凸状の筒状部を有し、前記筒状部に任意に開口孔を設ける構成としたことで、使用しない鍋や布巾で開口孔が塞がれることがなく、また、調理物が開口孔から落下することもない。
【００２６】
請求項１３記載の発明は、特に、請求項７に記載の構成において、排気ダクトの開口面は、化粧板の面と略同一又は化粧板の面よりも上方に突出する構成にすることで、円滑にロースタ使用時の熱気及び煙を器体外に排出すると共に、換気扇からの吸引を促進することができる。
【００２７】
請求項１４記載の発明は、特に、請求項１〜１３に記載の構成において、トッププレートの下方に誘導加熱装置又は抵抗加熱装置を含む３つ以上の加熱装置を構成し、前記トッププレート上で調理する構成とすることで例えば３口同時加熱調理といった多様化するニーズに応えることができる。
【００２８】
【実施例】
以下に本発明の実施例について図面を参照して説明する。
【００２９】
（実施例１）
図１は本発明の実施例１における誘導加熱調理器の展開斜視図であり、図２は同誘導加熱調理器の背面図である。図１及び図２において、器体１には天面部２が載置されている。この天面部２はその周囲を形成する金属性のフレーム３とフレーム３に接着し固定された平滑な耐熱ガラスからなるトッププレート４とで形成されている。トッププレート４の下方には、右誘導加熱装置５と左誘導加熱装置６とが配設され、その下方に外気を吸引するためのファン７を備えた冷却ファン装置８と、加熱調理を電気的に制御する制御装置９と、ロースタ調理のためのロースタ加熱装置１０が載置され固定されている。器体１の前方にはロースタ加熱装置１０に被調理物を入れるためのロースタドア１１と電源を投入して器体１を動作させる電源操作部１２が配設されている。ロースタ加熱装置１０の後方には排気筒１３が連結され、フレーム３の背面に開口した排煙口１４に連結している。
【００３０】
そして、冷却風は器体１の右側面の吸気口１５より器体１内にはいり、器体１の背面の排気口１６より排出する。なお器体１の底面には脚１７を配設して中央キッチンテーブル１８の床面に載置され、器体１の左側面に左キッチンテーブル１９が隣接し、設置した器体１の背面にある奥壁とでトータルキッチンテーブルを構成し、決められたモジュール寸法の中で、左キッチンテーブル１９の高さと、器体１の天面部２の高さが略同一になるように構成している。
【００３１】
以上のように構成した誘導加熱調理器について、以下その作用効果について説明する。
【００３２】
電源が投入され、電源操作部１２を操作することにより、ロースタ加熱装置１０、右誘導加熱装置５および左誘導加熱装置６が単独又は同時に使用される。そして、ロースタ加熱装置１０で魚などを加熱した場合、調理中に発生した油煙は排気筒１３を通って排煙口１４から外に排出され、家庭に備え付けられた換気扇で台所外に排出される。
【００３３】
また、ロースタ加熱装置の使用で同時に器体１の内部がその発熱により温度上昇する。これは右誘導加熱装置５又は左誘導加熱装置６が使用された場合も同様で、器体１の内部が発熱部品の発熱により温度上昇する。そこで制御装置９、ロースタ加熱装置１０、右誘導加熱装置５、左誘導加熱装置６および器体１といった部品を冷却して動作に支障が生じないように、ファン７を回転して吸気口１５から外気を取り込み、冷却ファン装置８により風下側に冷却風路を構成し、器体１の背面に連結された排気口１６から外に熱気を排出する。本実施例では限られたモジュール寸法の中で天面部２の天面には吸気口１５、排気口１６および排煙口１４が配設されないため、トッププレート４の平滑面をより広く確保することができ使用性を向上させることができる。
【００３４】
また、従来のように開口孔が天面にないため、調理物が落下することが無く落下防止用の部材を無くすことができるとともに、調理時の水の吹きこぼれによる器体１内部への進入や油煙の進入もなく安全性かつ清掃性を向上させることができる。さらに使用しない鍋や布巾などを調理面以外の天面部２に置かれても、器体１の冷却性能を損なうことなく安全に動作させることができる。
【００３５】
（実施例２）
図３は本発明の実施例２における誘導加熱調理器の右側面図、図４は同誘導加熱調理器の平面図である。なお、本実施例の基本構成は実施例１と同じなので異なる点を中心に説明する。また、実施例１と同じ構成には同じ符号を付しその説明は省略する。
【００３６】
本実施例の特徴は、本実施例ではロースタ加熱装置の排気ダクト２０を器体の後面より外部に突出させた点である。
【００３７】
図において、器体１の内部に載置、固定したロースタ加熱装置１０の後方に設けた排気筒１３と器体１の外面に設けた排気ダクト２０とを連結一体としている。この排気ダクト２０は器体１の背面から突出して設け、開口面積を増すために背面に平行方向の寸法を背面に直角方向の寸法より大きくして、開口部２２を上方に向けて、奥壁２１との間に配設している。なお、この構成に限定されるものではなく、排気筒と排気ダクトとを一体に成型し、両者を含めて排気筒または排気ダクトとしても良い。
【００３８】
この構成では、開口部２２が上方に向いているので、器体１と奥壁２１との間隔を広く確保しなくても、限られたモジュール寸法の中でトッププレート４の平滑面をより広く確保することができる。また、使用者から煙を排出する開口部２２を離して設けることができ、かつ、家庭に据え付けられた換気扇で容易に排気を吸引できる。
【００３９】
（実施例３）
図５は本発明の実施例３における誘導加熱調理器の要部側面図である。なお、本実施例の基本構成は実施例１および２と同じなので異なる点を中心に説明する。また、実施例１と同じ構成には同じ符号を付しその説明は省略する。
【００４０】
本実施例の特徴は、実施例２における排気ダクト２０を分離可能にした点である。
【００４１】
図において、器体１の内部に載置、固定したロースタ加熱装置１０の後方には、排気ダクト２３を設けている。この排気ダクト２３は下排気ダクト２３ａと上排気ダクト２３ｂとに分離可能に構成され、下排気ダクト２３ａと上排気ダクト２３ｂとはパッキン２４を介して密着嵌合し一体とする構成としている。
【００４２】
この構成では、排気ダクト２３はロースタ加熱装置１０により加熱時発生する油煙を円滑に器体１の外に排出し、繰り返し使用して溜まった上排気ダクト２３ａの油汚れは上排気ダクト２３ｂを下排気ダクト２３ａから簡単に取り外して清掃することができる。
【００４３】
（実施例４）
図６は本発明の実施例４における誘導加熱調理器の展開斜視図である。なお、本実施例の基本構成は実施例１と同じなので異なる点を中心に説明する。また、実施例１と同じ構成には同じ符号を付しその説明は省略する。
【００４４】
本実施例の特徴は、冷却するための吸気口を器体１の複数の面に設けた点である。
【００４５】
図において、器体１の背面に開口した背面吸気口２５と器体１の右側面に開口した右側面吸気口２６と器体１の底面に開口した底面吸気口２７とから外気を取り込む構成とし、冷却ファン装置８のファン７により器体１内部を冷却する冷却路を形成する。なお言うまでもなく、吸気のための開口部はその効果を有すれば本実施例のうちのいずらか１つで構成してもよいし、必要に応じて器体１の前面に構成してもよい。
【００４６】
この構成では、背面吸気口２５と右側面吸気口２６と底面吸気口２７により外気を十分に器体１の内部に取り込むことができ、冷却性能を確保することができる。
【００４７】
（実施例５）
図７は本発明の実施例５における誘導加熱調理器の展開斜視図である。なお、本実施例の基本構成は実施例１と同じなので異なる点を中心に説明する。また、実施例１と同じ構成には同じ符号を付しその説明は省略する。
【００４８】
本実施例の特徴は、冷却風の排気口を器体１の複数の面に設けた点である。
【００４９】
図において、冷却ファン装置８のファン７により外気が器体１内部に取り込まれ、風下に配設された制御装置９とロースタ加熱装置１０と右誘導加熱装置と左誘導加熱装置６を冷却し、器体１の背面に開口した背面排気口２８と器体１の左側面に開口した左側面排気口２９と、器体１の底面に開口した底面排気口３０から器体１の外に排出される。なおいうまでもなく、排気のための開口部はその効果を有すれば本実施例のうちの１つで構成してもよい。
【００５０】
この構成では、熱気が背面排気口２８と左側面排気口２９と底面排気口３０の開口部から器体１の外に排出されるため、使用者に熱気が当たらず、使用者に不快感を与えることなく冷却性能を確保できる。
【００５１】
（実施例６）
図８は本発明の実施例６における誘導加熱調理器の斜視図、図９は同誘導加熱調理器の右側面図である。なお、本実施例の基本構成は実施例１と同じなので異なる点を中心に説明する。なお、実施例１と同じ構成には同じ符号を付しその説明は省略する。
【００５２】
本実施例の特徴は、熱気の混合を防ぐために器体１の底面および背面に仕切り板を設けた点である。
【００５３】
図８及び図９において、器体１は脚１７で支持されてキッチンテーブル床面３１に載置され、器体１の背面には奥壁２１が対向している。ここで器体１の底面とキッチンテーブル床面３１の間及び器体１と奥壁２１の間に器体１を鉛直に略中央で分割し、隙間を遮断するように器体１の底面及び背面にビス締めなどの締結手段により固定された金属製の仕切板３２を仕切り、分割した一方の右側面に右側面吸気口３３を配設し、左側面に左側面排気口３４を配設している。
【００５４】
この構成では、仕切板３２により吸気範囲と排気範囲が分離され、器体１内部を冷却するための外気の中に、器体１内部を冷却した後の熱気が混入するのを防止し、常に常温に近い雰囲気を器体１内部に取り込み、冷却性能を確保できる。
【００５５】
（実施例７）
図１０は本発明の実施例７における誘導加熱調理器の据え付け状態を示す斜視図である。なお、本実施例の基本構成は実施例１と同じなので説明は省略する。また、実施例１と同じ構成には同じ符号を付しその説明は省略する。
【００５６】
本実施例の特徴は器体１の周囲に化粧板３５を設けた点である。
【００５７】
図において、器体１は左側面を左側壁３６で囲まれ、背面を奥壁２１で囲まれてキッチンテーブル床面３１に載置している。ここで化粧板３５は、器体１の右側面と背面及び左側面にビス締め固定され、器体１の背面に配設された排気ダクト２０の開口部よりも大きな開口孔を有する化粧板３５のダクト挿入部３７を配設して、器体１と左側壁３６及び器体１と奥壁２１の距離を隔てて一定に保持している。なお本実施例では、化粧板３５と器体１をビス締め固定する構成としたが、爪と孔による引っかけ構成として簡易的に着脱自在としてもよい。
【００５８】
この構成では、器体１の右側面、左側面、背面のいずれかの面に配設しても吸気口又は排気口の開口孔を壁面で閉鎖することが無く、外から器体１内への吸気又は器体１内から外への排気を円滑に動作させることができる。なお器体１の右側面及び左側面にキッチンテーブルが配設された場合も、同様の効果を有するものである。また、フレーム上面には吸排気口がないためトッププレートの面積を大きくすることができる。
【００５９】
なお、ダクト挿入部は化粧板の１辺を切欠いたり、あるいは、化粧板の中央に貫通孔を設ける等して、排気ダクトが化粧板を貫通できるようにしたものである。
【００６０】
（実施例８）
図１１は本発明の実施例８における誘導加熱調理器の化粧板の斜視図である。なお、実施例７と同じ機能には同じ符号を付しその説明は省略する。
【００６１】
図において、化粧板３５には甲収納容器３８と乙収納容器３９が溶接固定され凹形状の袋状に配設されロースタ排気ダクトの開口を閉鎖しないようダクト切り欠き部３７を配設している。なお甲収納容器３８と乙収納容器３９は溶接により化粧板３５に固定する構成としたが、甲収納容器３８や乙収納容器３９より大きな孔を化粧板３５に設けて、甲収納容器３８や乙収納容器３９の上部に角孔より大きなつば部を構成して着脱自在に構成してもよい。
【００６２】
なお、収納容器は２ヶ所に限定されるものではなく、１か所であってもそれ以上であっても良い。また、１個の収納容器に複数の調理必需品を収納してもよいが、調理必需品毎に収納容器を設けるようにすると便利である。
【００６３】
この構成では、調味料や香辛料などの調理必需品を甲収納容器３８と乙収納容器３９に収納でき、利便性が向上する。
【００６４】
（実施例９）
図１２は本発明の実施例９における誘導加熱調理器の据え付け状態を示す斜視図である。なお、前述の実施例と同じ構成には同じ符号を付しその説明は省略する。
【００６５】
図において、左側壁３６、奥壁２１に対して左キッチンテーブル１９、中央キッチンテーブル１８、右キッチンテーブル４０が隣接している場所の中央キッチンテーブル１８の床面に器体１を載置している。化粧板３５を器体１のトッププレート４の高さに合わせて載置固定することにより、器体１と左キッチンテーブル１９、器体１と奥壁２１、器体１と右キッチンテーブル４０を略同一平面になるよう構成している。
【００６６】
この構成では、トータルキッチンテーブル全体が凸凹のない略平滑面にでき、台所のデザイン調和性を向上させ、テーブル間の隙間に調理物が落下したり汚れが溜まったりすることを防止することができる。
【００６７】
（実施例１０）
図１３は本発明の実施例１０における誘導加熱調理器の化粧版の要部斜視図である。なお、前述の実施例と同じ構成には同じ符号を付しその説明は省略する。
【００６８】
図において、化粧板３５には左側壁３６との当接端面あるいは奥壁２１との当接端面の一部を切り欠いて間隔を確保した切り欠き部４１を配設し、平滑面に複数のスリット孔４２を配設している。なおスリット孔４２の代わりに奥壁２１に向かって開口したルーバー孔で構成してもよい。なお、孔はスリット孔に限定されるものではなく、本実施例の主旨にかなういわゆる開口孔であればよい。
【００６９】
この構成では、使用時に器体１から放出される熱気が床面や壁面や器体１に影響することなく円滑に外に排気できる。
【００７０】
（実施例１１）
図１４は本発明の実施例１１における誘導加熱調理器の据え付け状態を示す斜視図である。なお、前述の実施例と同じ構成には同じ符号を付しその説明は省略する。
【００７１】
図において、器体１は左側壁３６及び右キッチンテーブル４０に挟まれて載置されている。また、化粧板３５は器体１のトッププレート４と同一高さにして設けられている。そして、左側壁３６と器体１と中央キッチンテーブル１８の床面で囲まれた左前面開口部４３と、右キッチンテーブル４０と器体１と中央キッチンテーブル１８の床面で囲まれた右前面開口部４４とに化粧板３５の平滑面を延長して左化粧板閉鎖面４５と右化粧板閉鎖面４６とを設けている。
【００７２】
この構成では、使用中に排気口から排出される熱気が器体１の前方に向けて排出されるのを防ぎ、使用者に不快感を与えず、器体１の前方から見たときのデザイン性を向上することができる。
【００７３】
（実施例１２）
図１５は本発明の実施例１２における誘導加熱調理器の据え付けた状態を示す斜視図である。なお、前述の実施例と同じ構成には同じ符号を付しその説明は省略する。
【００７４】
図において、器体１は中央キッチンテーブル１８に載置され右キッチンテーブル４０と左キッチンテーブル１９と奥壁２０に囲まれ、化粧板３５を器体１の天面部２に設けている。化粧板３５は器体１と奥壁２０との間に上方に凸状の筒状部４７を形成し、この筒状部４７には複数の開口孔４８を配設している。なお開口孔４８は、スリット孔でも奥壁２０に向かって開口したルーバー孔でもよい。
【００７５】
この構成では、使用しない鍋や布巾で吸気及び排気のための開口孔を塞ぐのを防止するとともに、調理物が開口孔から容易に落下するのを防止できる。
【００７６】
（実施例１３）
図１６は本発明の実施例１３における誘導加熱調理器の右側面要部断面図である。なお、前述の実施例と同じ構成には同じ符号を付しその説明は省略する。
【００７７】
図において、器体１と奥壁２１との間を一定に保持するように器体１の天面部２と同一高さで奥壁２１に当接させた化粧板３５に対して、器体１内部に載置、固定されたロースタ加熱装置１０に連結して、器体１の背面に突出した排気ダクト２０は、化粧板３５に設けたダクト切り欠き部４１を通り、天面部２より上方に開口部２２を配設した構成としている。
【００７８】
この構成では、ロースタ使用時の熱気及び煙を器体１外に排出でき、より換気扇に近づけることで吸引性能を促進することができる。
【００７９】
（実施例１４）
図１７は本発明の実施例１４における誘導加熱調理器の展開斜視図である。なお、本実施例の基本構成は実施例１と同じなので異なる点を中心に説明する。また、実施例１と同じ機能には同じ符号を付しその説明は省略する。
【００８０】
本実施例が実施例１と異なる点は、本実施例では抵抗加熱装置を設け３口のコンロとした点である。
【００８１】
図において、器体１の天面部２はトッププレート４を接着固定したフレーム３で構成され、天面部２の後方には吸排気の開口部を有しない構成で、トッププレート４の下方には右誘導加熱装置５、抵抗加熱装置４９、および左誘導加熱装置５の３個の加熱装置、いわゆる３口バーナーが配設されている。
【００８２】
この構成では、天面部２の後方に開口部を有しない構成のため、トッププレート４の奥行き寸法を拡大することができ、右誘導加熱装置５と左誘導加熱装置６の間に抵抗加熱装置４９を配設することができる。
【００８３】
以上述べたように、本実施例では天面部に吸排気孔を設けない構成としたので、トッププレートの面積を大きくとることができると共に、デザインをすっきりしたものにすることができる。
【００８４】
なお、本実施例では器体の下部に脚を設けた構成について説明したがキッチンテーブル床面に器体を載置する場合、器体の下部に給排気口を設け下面を利用するような場合以外は必ずしも脚を設ける必要はない。
【００８５】
【発明の効果】
以上のように、請求項１〜１４に記載の発明によれば、トッププレートの平滑面の拡大を図ると共に、清掃性、安全性および利便性を向上し、さらに、トータルキッチンにフィットする洗練されたデザインとすることのできる。
【図面の簡単な説明】
【図１】本発明の実施例１における誘導加熱調理器の展開斜視図
【図２】同誘導加熱調理器の背面図
【図３】本発明の実施例２における誘導加熱調理器の右側面図
【図４】同誘導加熱調理器の平面図
【図５】本発明の実施例３における誘導加熱調理器の要部側面図
【図６】本発明の実施例４における誘導加熱調理器の展開斜視図
【図７】本発明の実施例５における誘導加熱調理器の展開斜視図
【図８】本発明の実施例６における誘導加熱調理器の斜視図
【図９】同誘導加熱調理器の右側面図
【図１０】本発明の実施例７における誘導加熱調理器の据え置き状態を示す斜視図
【図１１】本発明の実施例８における誘導加熱調理器の化粧板の斜視図
【図１２】本発明の実施例９における誘導加熱調理器の据え置き状態を示す斜視図
【図１３】本発明の実施例１０における誘導加熱調理器の化粧板の要部斜視図
【図１４】本発明の実施例１１における誘導加熱調理器の据え置き状態を示す斜視図
【図１５】本発明の実施例１２における誘導加熱調理器の据え置き状態を示す斜視図
【図１６】本発明の実施例１３における誘導加熱調理器の右側面要部断面図
【図１７】本発明の実施例１４における誘導加熱調理器の展開斜視図
【図１８】従来の誘導加熱調理器の展開斜視図
【符号の説明】
１  器体
２  天面部
３  フレーム
４  トッププレート
５  右誘導加熱装置（誘導加熱装置）
６  左誘導加熱装置（誘導加熱装置）
７  ファン
８  冷却ファン装置
９  制御装置
１０  ロースタ加熱装置
１１  ロースタードア
１２  電源操作部
１３  排気筒
１４  排煙口
１５  吸気口
１６  排気口
１７  脚
１８  中央キッチンテーブル（キッチンテーブル）
１９  左キッチンテーブル
２０、２３  排気ダクト
２１  奥壁
２２  開口部
２５  背面吸気口（吸気口）
２６  右側吸気口（吸気口）
２７  底面吸気口（吸気口）
２８  背面排気口（排気口）
２９  左排気口（排気口）
３０  底面排気口（排気口）
３１  キッチンテーブル床面
３２  仕切板
３５  化粧板
３６  左側壁
３７  ダクト挿入部
３８  甲収納容器（収納容器）
３９  乙収納容器（収納容器）
４０  右キッチンテーブル
４１  ダクト切り欠き部
４２  スリット孔（開口孔）
４３  左前面開口部
４４  右前面開口部
４７  筒状部
４８  開口孔
４９  抵抗加熱装置
【図１】
2004349041.tif 000003
【図２】
2004349041.tif 000004
【図３】
2004349041.tif 000005
【図４】
2004349041.tif 000006
【図５】
2004349041.tif 000007
【図６】
2004349041.tif 000008
【図７】
2004349041.tif 000009
【図８】
2004349041.tif 000010
【図９】
2004349041.tif 000011
【図１０】
2004349041.tif 000012
【図１１】
2004349041.tif 000013
【図１２】
2004349041.tif 000014
【図１３】
2004349041.tif 000015
【図１４】
2004349041.tif 000016
【図１５】
2004349041.tif 000017
【図１６】
2004349041.tif 000018
【図１７】
2004349041.tif 000019
【図１８】
2004349041.tif 000020